(57)【要約】【課題】出力されている映像に対してリアルタイムに用語解説を表示することができるコンテンツ処理装置及び処理方法を提供する。【解決手段】入力するコンテンツを視聴可能な形式で出力する出力部と、出力している前記コンテンツに含まれる用語の解説を取得するリアルタイム用語解説取得処理部と、前記コンテンツの出力されている映像と前記用語の解説を合成する映像・用語解説合成部とを備え、前記出力されている映像に対してリアルタイムに用語解説を前記出力部へ表示するコンテンツ処理装置。【選択図】  図９
2011259176.tif 000002
【特許請求の範囲】
【請求項１】
入力するコンテンツを視聴可能な形式で出力する出力部と、
出力している前記コンテンツに含まれる用語の解説を取得するリアルタイム用語解説取
得処理部と、
前記コンテンツの出力されている映像と前記用語の解説を合成する映像・用語解説合成
部とを備え、
前記出力されている映像に対してリアルタイムに用語解説を前記出力部へ表示するコン
テンツ処理装置。
【請求項２】
出力している前記コンテンツに対するカテゴリを決定するカテゴリ決定部と、
前記用語の解説を取得する際にこのカテゴリで前記用語をフィルタリングするカテゴリ
フィルタリング部とを更に備え、
このカテゴリフィルタリング部は前記用語の解説の取得速度を速めるよう働く請求項１
に記載のコンテンツ処理装置。
【請求項３】
前記用語に対する前記カテゴリを検索するための表からなるカテゴリデータベースと、
前記カテゴリごとに分類した用語解説群からなる辞書データベースとを更に備え、
前記カテゴリフィルタリング部はこのカテゴリデータベースを参照して働き、あるいは
前記リアルタイム用語解説取得処理部はこの辞書データベースを参照して働く請求項２に
記載のコンテンツ処理装置。
【請求項４】
前記リアルタイム用語解説取得処理部は、参照した前記用語の履歴を記憶しこの履歴か
ら、ユーザの好みのカテゴリを優先表示させあるいは参照済みの前記用語をフィルタリン
グ対象にしあるいは、外部からの操作に基づいて前記用語の解説を再掲示するまたはフィ
ルタリングを妨げるように働く、請求項２に記載のコンテンツ処理装置。
【請求項５】
前記用語の解説の取得結果を格納する表示候補用語記憶部を更に備え、この表示候補用
語記憶部は表示候補の用語の記憶を開始した位置を示す記憶開始ポインタと最終位置を示
す記憶最終ポインタで管理する記憶媒体を有する請求項１に記載のコンテンツ処理装置。
【請求項６】
少なくとも出力しているコンテンツが切り替わった場合に、前記記憶開始ポインタが前
記最終位置に初期化される請求項５に記載のコンテンツ処理装置。
【請求項７】
入力するコンテンツを視聴可能な形式で出力する出力部を有するコンテンツ処理装置に
おけるコンテンツ処理方法であって、
出力している前記コンテンツに含まれる用語の解説を取得し、
前記コンテンツの出力されている映像と前記用語の解説を合成し、
前記出力されている映像に対してリアルタイムに用語解説を前記出力部へ表示するコン
テンツ処理方法。
【発明の詳細な説明】
【技術分野】
【０００１】
本発明の実施形態は、出力されている映像に対して用語解説するコンテンツ処理装置お
よび処理方法に関する。
【背景技術】
【０００２】
出力されている映像に対して用語解説するコンテンツ処理装置が在る。特許文献１の例
では、ユーザ要求をトリガに再生を停止し、視聴モードから用語説明モードに画面を切り
替え用語選択画面を表示する。
【０００３】
しかし一般に、コンテンツの映像データと用語解説を同時に（リアルタイムに）表示で
きないという課題があった。また、ユーザ要求までコンテンツを蓄えたバッファを持つた
め、メモリの容量が大量に必要となりコストが大きくなるという課題と、用語解説取得時
間が長くなりコンテンツの映像データと用語を同時に表示できないという課題があった。
【先行技術文献】
【特許文献】
【０００４】
【特許文献１】特開２００６−２６２２４５号公報（図１）
【発明の概要】
【発明が解決しようとする課題】
【０００５】
本発明は、出力されている映像に対してリアルタイムに用語解説を表示することができ
るコンテンツ処理装置及び処理方法を提供することを目的とする。
【課題を解決するための手段】
【０００６】
上記課題を解決するために、実施形態のコンテンツ処理装置によれば、入力するコンテ
ンツを視聴可能な形式で出力する出力部と、出力している前記コンテンツに含まれる用語
の解説を取得するリアルタイム用語解説取得処理部と、前記コンテンツの出力されている
映像と前記用語の解説を合成する映像・用語解説合成部とを備え、前記出力されている映
像に対してリアルタイムに用語解説を前記出力部へ表示する。
【図面の簡単な説明】
【０００７】
【図１】この発明の一実施形態を示す機能システム全体構成図。
【図２】同実施形態のカテゴリ情報例を示す図。
【図３】同実施形態のカテゴリデータベース例。
【図４】同実施形態の辞書データベース例。
【図５】同実施形態の利用シーンの表示例。
【図６】同実施形態のカテゴリ決定フロー図。
【図７】同実施形態に用いられるリアルタイム用語解説表示付き視聴時フロー図。
【図８】同実施形態に用いられるリアルタイム用語解説取得部処理フロー図。
【図９】この発明の一実施形態を示す表示候補用語記憶部例。
【図１０】この発明の一実施形態を示す用語解説選択画面。
【図１１】本発明の一実施形態に係わるテレビ受信装置の構成を概略的に示すブロック図。
【発明を実施するための形態】
【０００８】
以下、本発明の実施形態を図１乃至図１１を参照して説明する。
本発明は、映像・音声コンテンツの再生機能を有するデジタルテレビやカーナビゲーシ
ョン装置等、デジタルメディア再生機器全般に適用することができる。
（放送受信装置の構成と動作）
まず、本発明の一実施形態であるテレビ受信装置を、図１１を用いて説明する。
図１１は、次に述べる図１のシステムを適用する放送受信装置の一実施形態であるデジ
タル放送受信装置等のテレビ受信装置の構成の一例を示すブロック図である。
このテレビ受信装置は、地上アナログ放送波、並びにＢＳ、ＣＳ及び地上デジタル放送
波を受信可能であり、マイクロプロセッサ１０、デジタル用チューナ１１、アナログ用チ
ューナ１２、デジタル用復調器１３、アナログ用復調器１４及びＴＳ復号器１５を備えて
いる。
【０００９】
ＢＳ、ＣＳ及び地上デジタル放送波は、アンテナ１で受信され、この受信信号がデジタ
ル用チューナ１１に供給される。同様に、地上アナログ放送波は、アンテナ１で受信され
、この受信信号がアナログ用チューナ１２に供給される。デジタル用チューナ１１及びア
ナログ用チューナ１２は、フェーズロックドループ(ＰＬＬ)方式を採用し、マイクロプロ
セッサ１０の制御により中心周波数及び帯域幅等の受信パラメータを指定してそれぞれ所
望の放送波を選局するために用いられる。
【００１０】
デジタル用チューナ１１で選局した放送波の受信信号は、例えば日本の地上デジタル放
送の場合にＯＦＤＭ(orthogonal frequency division multiplexing)方式のデジタル用復
調器１３及びＴＳ復号器１５に順次供給され、これらでデジタル映像信号及び音声信号に
復調及び復号される。アナログ用チューナ１２で選局された受信信号は、アナログ用復調
器１４に供給され、ここでアナログ映像信号及び音声信号に復調される。
【００１１】
このテレビ受信装置は、更に、信号処理部１６、グラフィック処理部１７、ＯＳＤ(on 
screen display)信号生成部１８、映像処理部１９、ディスプレイ２０、音声処理部２１
、スピーカー２２、操作パネル２３、赤外線受光部２４、リモコン２５、フラッシュメモ
リ２６、ＵＳＢ(Universal Serial Bus)コネクタ２７、カードコネクタ２８、及びネット
ワーク通信回路２９を備える。信号処理部１６は、ＴＳ復号器１５からのデジタル映像信
号及び音声信号に対して選択的に所定のデジタル信号処理を施し、それぞれグラフィック
処理部１７及び音声処理部２１に出力する。また、信号処理部１６は、アナログ用復調器
１４からのアナログ映像信号及び音声信号を選択的にデジタル化し、このデジタル化され
た映像信号及び音声信号に対して所定のデジタル信号処理を施し、それぞれグラフィック
処理部１７及び音声処理部２１に出力する。
【００１２】
グラフィック処理部１７は、信号処理部１６から出力されたデジタル映像信号にＯＳＤ
信号生成部１８で生成されたＯＳＤ信号を選択的に重畳して出力する。映像処理部１９は
、グラフィック処理部１７から出力されたデジタル映像信号に対してディスプレイ２０に
適合させる例えばサイズ調整等の変換を行う。ディスプレイ２０は、映像処理部１９から
出力された映像信号に対応する映像を表示する。音声処理部２１は、信号処理部１６から
出力されたデジタル音声信号をスピーカー２２に適合させる音量調整等の変換を行う。ス
ピーカー２２は、音声処理部２１から出力された音声信号に対応する音声を再生する。
【００１３】
マイクロプロセッサ１０は、操作パネル２３からの操作情報、またはリモコン２５から
送出され赤外線受光部２４で受信された操作情報を受けて、その操作内容が反映されるよ
うに各コンポーネントを制御する。ここで、操作パネル或いはキーボード２３及びリモコ
ン２５は、ユーザーインタフェースとして機能する操作モジュールに相当している。図１
１に示すように、マイクロプロセッサ１０は、様々な処理及び制御を行うＣＰＵ(central
processing unit）３１、このＣＰＵ３１の制御プログラム及び様々な初期データを保持
するＲＯＭ(read only memory）３２、ＣＰＵ３１の入出力情報を一時的に格納する作業
エリアを提供するＲＡＭ(random access memory）３３、Ｉ２Ｃバス等を介して各コンポ
ーネントに対する設定情報及び制御情報を入出力するインタフェース３４、及び放送波や
ネットワーク経由で取得される時刻情報及び日付情報に従って補正される時計回路３５を
含んでいる。
【００１４】
ＵＳＢコネクタ２７は、様々なＵＳＢ機器を接続するために設けられている。カードコ
ネクタ２８は、様々なメディアカードを接続するために設けられている。また、ネットワ
ーク通信回路２９は、インターネットに直接あるいはＬＡＮ(local area network)経由で
接続されている。時刻情報を放送波から取得する場合は、アンテナ１で受信した信号から
、また時刻情報等基礎データをネットワークから取得する場合は、ネットワーク通信回路
２９から、それぞれマイクロプロセッサ１０に取り込まれる。
【００１５】
またＵＳＢコネクタ２７やカードコネクタ２８は、外部からＵＳＢ機器（メモリ等）や
メディアカードを接続して動画、写真、音楽データを読み出すことができる。
マイクロプロセッサ１０は、ＵＳＢコネクタ２７に接続されるＵＳＢメモリやカードコ
ネクタ２８に接続されるメディアカードにファイルとして保持される映像を取り込み、信
号処理部１６、グラフィック処理部１７、及び映像処理部１９での処理を経て各映像をデ
ィスプレイ２０に表示させる制御を行えるように構成されている。
【００１６】
なお次の図１に関し、ハードディスクHに相当する部分は記載を省略しているが、上記
ＵＳＢ機器として備えられていて記憶媒体を構成していてもよい。また視聴中の映像また
は音声はこれらに記録されたコンテンツを再生しているものであってもよい。
【００１７】
またＥＰＧ情報取得部１０４、システム制御部１１０、視聴コンテンツのカテゴリ決定
部１１２、リアルタイム用語解説取得処理部１１３、用語解説表示記述生成部１１６およ
び映像・用語解説合成制御部１１７は、例えばマイクロプロセッサ１０のＣＰＵ３１、Ｒ
ＯＭ３２及びＲＡＭ３３を中心に構成すればよい。
【００１８】
図1を用いて、本発明をデジタルテレビに適用した場合を例に、本実施形態のコンテン
ツ処理装置の基本構成を以下に説明する。
コンテンツ処理装置１００は、コンテンツデータ（MPEG方式で圧縮された映像または音
声圧縮データ等）を入力する手段を持つ。例えば、アンテナ１０１（アンテナ１に相当）
から放送コンテンツを受信部１０２（デジタル用チューナ１１に相当）が受信し、放送コ
ンテンツをデジタル復調部１０３（デジタル用復調器１３及びＴＳ復号器１５に相当）で
復調する。ただし、コンテンツデータは放送コンテンツでなく、あらかじめコンテンツが
格納されているハードディスクHや光ディスクから取得してもよい。コンテンツデータはM
PEG処理部１０６（信号処理部１６及び映像処理部１９及び音声処理部２１に相当）で映
像または音声のデータにデコードされる。出力に関してコンテンツ処理装置１００は映像
または音声のデータを出力部１０７がディスプレイ１０９またはスピーカ１０８等に出力
する。また、コンテンツ処理装置１００はEPG情報取得部１０４で各コンテンツのEPG情報
を取得する。ユーザの操作に関しては操作部１１１がユーザの操作を受け付ける。なお、
CPU等のシステム制御部１１０はシステムの各構成要素を制御する。
【００１９】
本実施形態のコンテンツ処理装置１００は、上記通常のコンテンツ処理装置の構成要素
に加え、リアルタイムで用語解説の取得を実現する構成要素を有する。まず、コンテンツ
の視聴前に視聴コンテンツのカテゴリ決定部１１２で視聴コンテンツに対するカテゴリ（
以下カテゴリ）を決定する。カテゴリとは例えば図2のようなデータである。本実施例で
はカテゴリには、ユーザからの操作により操作部１１１から受け付けた「大人」や「子供
」などのユーザ情報が含まれる。また、EPG情報取得部１０４で獲得した「政治・経済」
や「スポーツ・バレー」などのジャンル情報が含まれる。コンテンツの視聴開始時にはリ
アルタイム用語解説取得部１１３が、上記映像または音声データと上記カテゴリとを用い
て、コンテンツの視聴と同時に表示できるように用語解説を取得する。
【００２０】
次にリアルタム用語解説取得部１１３を構成する要素について説明する。用語抽出部１
１３０は映像または音声データから用語を抽出する。カテゴリフィルタリング部１１３１
は、カテゴリデータベース１１４を用いてカテゴリ情報の項目に抽出した用語があるかを
リアルタイムに判定する。カテゴリデータベースは例えば図３のようなカテゴリごとの用
語一覧表である。該当する用語が存在する場合、カテゴリフィルタリング部１１３１が該
当用語を表示候補として選定し、用語解説取得部１１３２が辞書データベース１１５から
用語解説を取得する。辞書データベースは例えば図4のようにカテゴリごとに用語解説を
持つ。取得した用語解説は表示候補用語記憶部１１３３に用語と併せて格納する。なお、
図３の用語と図４の用語解説は装置の製造時に予め組み込んでおけばよい。更に、装置の
運用に入ってからもWebなどの手段によって拡充（変更、削除）を行なえるようにしてお
いてもよい。
【００２１】
次に表示候補用語記憶部１１３３に格納した用語解説の表示機能の構成要素について説
明する。用語解説表示記述生成部１１６がXML等で用語解説表示記述を作成する。次に映
像・用語解説合成制御部１１７が映像データと用語解説表示記述を合成して表示用の映像
データを作成し、出力部１０７が表示用の映像データをディスプレイ１０９に表示する。
映像データの表示例を図5に掲載する。図5には、用語としてラリーポイントと、リベロと
の２つが表示されている。また夫々に対して「サーブ権に関係なくポイントが入る制度」
と「守備専門のプレーヤー」との用語解説が表示されている。
【００２２】
次に本実施形態の      処理フローについて説明する。
まず、図6に視聴の開始時のカテゴリ決定フローを示す。前処理では図2のような視聴コ
ンテンツのカテゴリを決定する。
ステップS001: 操作部１１１およびシステム制御部１１０が、ユーザの操作により「大人
」や「子供」などのユーザ情報を取得する。
ステップS002: EPG情報取得部１０４が「政治・経済」や「スポーツ・バレー」などのコ
ンテンツのジャンル情報を取得する。
ステップS003: 視聴コンテンツのカテゴリ決定部１１２が、ステップS001で取得したユー
ザ情報とステップS002で取得したジャンル情報からカテゴリを決定する。
【００２３】
なお、ステップS001とステップS002は順不同で、視聴開始前あるいはコンテンツ選択時
に実施することが望ましいが、用語解説表示指示前であればいつ実施しても良い。
【００２４】
次に、図7にリアルタイムに用語解説を表示する視聴時の処理フローを示す。ここで、
表示候補用語記憶部１１３３は、図9の模式図のように、表示候補の用語の記憶を開始し
た位置を示す記憶開始ポインタと最終位置を示す記憶最終ポインタで管理されるリングバ
ッファを利用してもよい。ここで記憶最終ポインタは便宜的に次の用語が入る位置を指し
ている。
【００２５】
ステップS101: 表示候補用語記憶部１１３３の記憶開始ポインタを記憶最終ポインタの位
置に切り替えて、表示候補用語記憶部１１３３を初期化する。
ステップS102: 受信部１０２からデジタル復調部１０３を介し、映像・音声圧縮データを
取得する。
ステップS103: MPEG処理部１０６がステップS102で取得した映像・音声圧縮データをデコ
ードし、映像データと音声データを出力する。
ステップS104:リアルタイム用語解説取得部１１３が、音声データから用語を抽出し、用
語解説を取得する。本処理の詳細なフローは後述する。
ステップS105: ユーザ操作による用語解説表示指示がない場合ステップS106へ、ある場合
ステップS107へ進む。
ステップS106: 用語解説表示指示がない場合、映像・用語解説合成制御部１１７が映像デ
ータ（コンテンツデータ）をオリジナルのサイズで出力部１０７に転送する。
【００２６】
ステップS107: 用語解説表示指示がある場合、用語解説表示記述生成部１１６が、ステッ
プS104で確保した表示候補用語記述部１１３３の記憶開始ポインタから記憶最終ポインタ
までの用語と用語解説から、XML等の用語解説表示記述を生成する。表示候補数が多い場
合は、記憶最終ポインタから一定数遡った範囲の用語を表示対象としても良い。また用語
解説表示記述生成後に、記憶開始ポインタを最終ポインタ位置に進める処理を行っても良
い。
【００２７】
ステップS108: 映像・用語解説合成制御部１１７が映像データとステップS105で生成した
用語解説表示記述を合成する。
ステップS109: 出力部１０７がステップS106もしくはステップS108で作成されたデータを
ディスプレイ１０７に出力する。
ステップS110: コンテンツがまだ終了していなくコンテンツを切り替えていなければ、ス
テップS102に戻る。コンテンツが終了しているか、コンテンツを切り替えていれば、ステ
ップS111に進む。
【００２８】
ステップS111: 表示候補用語記憶部１１３３の記憶開始ポインタを記憶最終ポインタの位
置に切り替えて、表示候補用語記憶部１１３３を初期化する。
ステップS112: 視聴を終了していれば、処理を終了し、終了していなければ、ステップS1
02に戻る。
なお、ステップS102〜ステップS110の処理は、フレーム処理などのコンテンツデータの
処理単位で実施される。また、ステップS104は複数のフレーム処理に対してまたがって実
施されてもよい。
【００２９】
次にステップS104のリアルタイム用語解説取得部１１３が用語解説を取得する処理フロ
ーを図8に示す。
ステップS1061: 用語抽出部１１３０がステップS003でMPEG処理部１０６が出力した音声
データから用語を抽出する。もしくは、映像に埋め込まれたテロップ等の文字列を文字認
識により抽出するか、データ放送のテキスト情報等を利用しても良い。
【００３０】
ステップS1062: カテゴリフィルタリング部１１３１が、ステップS103で視聴コンテンツ
のカテゴリ決定部１１２が決定したカテゴリと、ステップS1061で抽出した用語を取得す
る。
【００３１】
ステップS1063: カテゴリフィルタリング部１１３１が、カテゴリデータベース１１４か
ら、ステップS1062で取得したカテゴリに、該当する用語があるかどうかを判定する。
【００３２】
ステップS1064: ステップS1063で判定した結果、該当する用語がある場合は、ステップS1
065に進む。ない場合は終了する。
ステップS1065: カテゴリフィルタリング部１１３１が該当用語を表示候補として選定す
る。
ステップS1066: 用語解説取得部１１３２が、カテゴリ別に分類された辞書データベース
１１５から表示候補の用語の解説を取得する。
ステップS1067: 用語解説取得部１１３２が、用語とステップS1066で取得した用語解説を
、表示候補記憶部１１３３の記憶最終ポインタの位置に格納し、記憶最終ポインタを次の
位置に進める。
【００３３】
（変形例１）
実施例においてカテゴリデータベース１１４と辞書データベース１１５が別々のデータ
でなく一つのデータベースであってもよい。つまり、カテゴリの項目に対して、用語・用
語解説群を併せ持っても良い。
【００３４】
（変形例２）
実施例１において関連する用語を検索する機能を有し表示しても良い。教育目的をはじ
め、よりユーザビリティが向上する。
（変形例３）
実施例１において図10の表示の例（図５参照）のように、用語ごとに用語解説の表示を
選択できる機能を有してもよい。本機能はXML記述なら容易に実現可能である。
【００３５】
なお、このとき、選択された用語解説を音声で読み上げる機能を持たせてもよい。
（実施例４）
実施例１において、一度参照した用語を記憶しておき、履歴から個々のユーザの好みの
カテゴリを優先表示させたり、参照済みの用語をフィルタリング対象にする機構を追加し
てもよい。また、何か１つのボタンを押すと再掲示したり、フィルタリングを止める機能
を追加してもよい。
【００３６】
本実施形態のリアルタイム用語解説取得処理部により、コンテンツの視聴中に用語の解
説を調べたい場合、視聴を中断することなく快適に用語解説を調べることができるように
なった。また、コンテンツ用に大容量のバッファを使用することがないため、より安価に
用語解説機能を実現可能になった。
【００３７】
また、カテゴリや各種データベースに言語属性を持たせれば、インドのような他民俗、
多言語をもつ新興国においてもユーザビリティの高いコンテンツ処理装置を提供できる。
【００３８】
また、言語能力向上にも広く効果が期待できる。
（実施形態のまとめ）
（１）  放送コンテンツなどを入力しディスプレイ等に出力するコンテンツ処理装置にお
いて、視聴しているコンテンツに含まれる用語の解説を視聴と同時に取得するリアルタイ
ム用語解説取得処理部と、コンテンツの映像と用語解説を合成する映像・用語解説合成部
を持ち、視聴に対してリアルタイムに用語解説を表示できるコンテンツ処理装置。
【００３９】
（２）  （１）のコンテンツ処理装置において、視聴しているコンテンツに対するカテゴ
リ（「年齢」「国籍」「性別」等のユーザ情報やEPGのコンテンツのジャンル情報等）を
決定するカテゴリ決定部と、用語解説取得の際にカテゴリで用語をフィルタリングするカ
テゴリフィルタリング部を持ち、用語解説の取得速度を速めることができるコンテンツ処
理装置。
【００４０】
（３）  （２）のコンテンツ処理装置において、用語に対するカテゴリを検索するための
一覧表からなるカテゴリデータベースと、カテゴリごとに分類した用語解説群からなる辞
書データベースの２つのデータベースを持つ、コンテンツ処理装置。
【００４１】
（４）  （１）のコンテンツ処理装置において、用語解説の取得結果を格納する表示候補
用語記憶部が、表示候補の用語の記憶を開始した位置を示す記憶開始ポインタと最終位置
を示す記憶最終ポインタで管理する記憶媒体を持つことを特徴とする、コンテンツ処理装
置。
【００４２】
（５）  （４）のコンテンツ処理装置において、視聴コンテンツが切り替わった場合等で
、記憶開始ポインタと記憶最終ポインタが初期化される、コンテンツ処理装置。
【００４３】
以上本実施形態では、リアルタイム用語解説取得処理部を有することにより、コンテン
ツの映像データと用語解説を同時に表示できるようになる。またリアルタイムで表示する
ため、ユーザ要求までコンテンツを蓄えるバッファをもつ必要がない。
【００４４】
また、本実施形態では、リアルタイム用語解説取得処理部が用語をカテゴリでフィルタ
リングすることにより、用語解説の時間が短縮し、よりリアルタイム性が確保できる。
【００４５】
そのため、次の効果が得られる。即ち、コンテンツの視聴中に用語の解説を調べたい場
合、視聴を中断することなく用語解説を快適に調べることができるようになった。また、
コンテンツ用に大容量のバッファを使用することがないため、より安価に用語解説機能を
実現可能になった。
【００４６】
なお、この発明は上記実施形態に限定されるものではなく、この外その要旨を逸脱しな
い範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係わる
構成要素を適宜組み合わせても良いものである。
【符号の説明】
【００４７】
１０…マイクロプロセッサ、１６…信号処理部、１７…グラフィック処理部、１８…Ｏ
ＳＤ信号生成部、１９…映像処理部、２０…ディスプレイ、２３…操作パネル、２４…赤
外線受光部、２５…リモコン、２６…フラッシュメモリ、２７…ＵＳＢコネクタ、２８…
カードコネクタ、２９…ネットワーク通信回路、１００…コンテンツ処理装置、１０１…
アンテナ、１０２…受信部、１０３…デジタル復調部、１０４…ＥＰＧ情報取得部、１０
５…ハードディスクドライブ、１０６…MPEG処理部、１０７…出力制御部、１０８…スピ
ーカ、１０９…ディスプレイ、１１０…システム制御部、１１１…操作部、１１２…視聴
コンテンツのカテゴリ決定部、１１３…リアルタイム用語解説取得処理部、１１４…カテ
ゴリデータベース、１１５…辞書データベース、１１６…用語解説表示記述生成部、１１
７…映像・用語解説合成制御部、H…ハードディスク。
【図１】
2011259176.tif 000003
【図２】
2011259176.tif 000004
【図３】
2011259176.tif 000005
【図４】
2011259176.tif 000006
【図５】
2011259176.tif 000007
【図６】
2011259176.tif 000008
【図７】
2011259176.tif 000009
【図８】
2011259176.tif 000010
【図９】
2011259176.tif 000011
【図１０】
2011259176.tif 000012
【図１１】
2011259176.tif 000013